(57)【要約】      （修正有）【課題】全体の構成の簡略化とともに、調味料による他の収容部内への混入の防止ができる調味料容器を提供する。【解決手段】調味料を収容する複数の収容部２１、２２を有し、収容部２１、２２ごとに調味料を分けて収容する収容部本体２と、複数の吐出孔３１ｄ、３１ｅが形成されたキャップ部３１と、を備えた調味料容器１であって、複数の収容部２１、２２は、互いの合わせ面に形成された凹部２２ａおよび凸部２１aを嵌合する。【選択図】図６
0003215182.tif 000002
【実用新案登録請求の範囲】
【請求項１】
一端が開口し、調味料を収容する複数の収容部を有し、前記収容部ごとに前記調味料を分けて収容する収容部本体と、
前記複数の収容部の開口端部を覆って結合し、前記収容部内の前記調味料を吐出する複数の吐出孔が形成されたキャップ部と、を備え、前記吐出孔から前記調味料を吐出する調味料容器であって、
前記複数の収容部は、互いの合わせ面に形成された凹部および凸部を嵌合することを特徴とする調味料容器。
【請求項２】
請求項１に記載された調味料容器であって、
前記凹部および前記凸部は、前記合わせ面における高さ方向および幅方向へ延出する十字形状に形成されていることを特徴とする調味料容器。
【請求項３】
請求項１又は２に記載された調味料容器であって、
前記キャップ部は、前記複数の収容部に対応して、外周面が異なる色で色分けされていることを特徴とする調味料容器。
【考案の詳細な説明】
【技術分野】
【０００１】
本考案は、調味料を収容する調味料容器に関する。
【背景技術】
【０００２】
ソース、マスタード、ケチャップ、マヨネーズ、サンドウィッチスプレッド、醤油、食用油、ドレッシング、タレ（焼き肉、焼き鳥、鰻蒲焼等に用いられるタレ）などの調味料（以下、「調味料」と言う。）を種類ごとに分けて収容する調味料容器がある。この調味料容器は、卓上の載置スペースや食器戸棚の収納スペースをコンパクトにすることができるため、鋭意研究されている。
【０００３】
例えば、特許文献１（従来例）には、筒体容器１２０の内部における仕切り１５０の上部開口に取付けられた２つの中蓋１８０をそれぞれ開閉することで、筒体容器１２０内の２種類の調味料を同時又は個別にしぼり出すことができる調味料容器１００が開示されている。
【先行技術文献】
【特許文献】
【０００４】
【特許文献１】実開平６―３７１８６号公報
【考案の概要】
【考案が解決しようとする課題】
【０００５】
しかし、特許文献１に開示された調味料容器１００は、２種類の調味料を収容する室を単に内部に設けられた仕切り１５０で仕切る構成のため、２種類の調味料のうち一方を補充する際に、他方の室内に混入する可能性があり、調味料を補充し難い問題があった。
【０００６】
本考案は、上述した事情に鑑みてなされるものであって、キャップ部を取外し、凹部と凸部を離間させるだけで、複数の収容部を簡単に分離することができるため、調味料容器全体の構成を簡略化するとともに、調味料を一方の収容部へ補充する際に、他の収容部内に混入することも防ぐ調味料容器を提供することを目的とする。
【課題を解決するための手段】
【０００７】
上記課題を解決するためになされた請求項１に記載の考案は、一端が開口し、調味料を収容する複数の収容部を有し、前記収容部ごとに前記調味料を分けて収容する収容部本体と、前記複数の収容部の開口端部を覆って結合し、前記収容部内の前記調味料を吐出する複数の吐出孔が形成されたキャップ部と、を備え、前記吐出孔から前記調味料を吐出する調味料容器であって、前記複数の収容部は、互いの合わせ面に形成された凹部および凸部を嵌合することを特徴とする。
【０００８】
請求項１に記載の考案によれば、キャップ部を取外し、凹部と凸部を離間させるだけで、複数の収容部を簡単に分離することができるため、調味料容器全体の構成を簡略化するとともに、調味料を一方の収容部へ補充する際に、他の収容部内に混入することも防ぐことができる。
【０００９】
請求項２に記載の考案は、請求項１に記載された調味料容器であって、前記凹部および前記凸部は、前記合わせ面における高さ方向および幅方向へ延出する十字形状に形成されていることを特徴とする。
【００１０】
請求項２に記載の考案によれば、高さ方向および幅方向へ延出する十字形状の凹部および凸部を嵌合させることで、調味料容器の高さ方向および幅方向のずれを防ぐことができる。
【００１１】
請求項３に記載の考案は、請求項１又は２に記載された調味料容器であって、前記キャップ部は、前記複数の収容部に対応して、外周面が異なる色で色分けされていることを特徴とする。
【００１２】
請求項３に記載の考案によれば、キャップ部の外周面が複数の収容部に対応して色分けされていることで、調味料を補充する際にキャップ部を取外した後も、キャップ部を取外す前と同じ位置に結合させることができる。すなわち、キャップ部を複数の収容部から取外した後も、取り外す前と同じ位置に結合させることで、キャップ部内に残った調味料と複数の収容部内の調味料とが混ざり合わさることを防ぐことができる。
【考案の効果】
【００１３】
本考案によれば、キャップ部を取外し、凹部と凸部を離間させるだけで、複数の収容部を簡単に分離することができるため、調味料容器全体の構成を簡略化するとともに、調味料を一方の収容部へ補充する際に、他の収容部内に混入することも防ぐ調味料容器を提供することができる。
【図面の簡単な説明】
【００１４】
【図１】第一実施例の調味料容器の斜視図である。
【図２】図１の収容部本体の斜視図である。
【図３】図１の左側収容部の斜視図である。
【図４】図１の右側収容部の斜視図である。
【図５】図１のＡ−Ａ断面における断面図である。
【図６】図１における蓋部を開けた状態の調味料容器の斜視図である。
【図７】図１における左側蓋部のみを開けた状態の調味料容器の斜視図である。
【図８】図１における右側蓋部のみを開けた状態の調味料容器の斜視図である。
【図９】図１の調味料容器における左側収容部へ第１の調味料を補充する作業手順を示すフローチャートである。
【図１０】従来例の調味料容器の一部切欠分解斜視図である。
【考案を実施するための形態】
【００１５】
（第一実施例）
以下、図面を参照して、本考案の実施例に係る調味料容器１について説明する。
【００１６】
図１は第一実施例の調味料容器１の斜視図であり、図２は図１の収容部本体２の斜視図であり、図３は図１の左側収容部２１の斜視図であり、図４は図１の右側収容部２２の斜視図であり、図５は図１のＡ−Ａ断面における断面図であり、図６は図１における蓋部３２を開けた状態の調味料容器１の斜視図であり、図７は図１における左側蓋部３２ａのみを開けた状態の調味料容器１の斜視図であり、図８は図１における右側蓋部３２ｂのみを開けた状態の調味料容器１の斜視図である。
なお、調味料容器１の幅方向をＸ軸、調味料容器１の奥行き方向をＹ軸、調味料容器１の高さ方向をＺ軸とする。
【００１７】
図１、５および６で示すように、引用符号１は、本実施例の調味料容器１である。調味料容器１は、調味料(不図示)ごとに分けて収容する収容部本体２と、収容部本体２の開口端部２０を覆うキャップ部３と、を備える。
【００１８】
図１乃至４で示すように、収容部本体２は、第１の調味料（調味料）（不図示）を収容し、断面視略半円状の容器形状をした左側収容部（収容部）２１と、第１の調味料とは異なる第２の調味料（調味料）（不図示）を収容し、左側収容部２１と分離可能に形成され、断面視略半円状の容器形状をした右側収容部（収容部）２２とを有する。左側収容部２１と右側収容部２２は、合わせ面で嵌合することで、収容部本体２が全体として壜状となるように形成されている。
【００１９】
左側収容部２１は、図３で示すように、合わせ面において、高さ方向（Ｚ軸方向）および幅方向（Ｘ軸方向）へ延びる十字形状の凸部２１ａが形成されている。同様に、右側収容部２２にも、図４で示すように、合わせ面において、高さ方向（Ｚ軸方向）および幅方向（Ｘ軸方向）へ延びる十字形状の凹部２２ａが形成されている。この凹部２２ａは、凸部２１ａと嵌合するように凸部２１ａに対応して形成されている。
【００２０】
左側収容部２１および右側収容部２２の上部外周面には、図２乃至４で示すように、螺子２１ｂ、２２ｂが形成されており、この螺子２１ｂ、２２ｂは、左側収容部２１および右側収容部２２と組み合わさることで連続的に形成されている。
【００２１】
図１、５および６で示すように、キャップ部３は、左側収容部２１および右側収容部２２の開口端部２１ｃ、２２ｃを覆って結合するキャップ部本体３１と、キャップ部本体３１とヒンジ部３１ａを介して開閉自在に形成された蓋部３２とを有する。
【００２２】
キャップ部本体３１は、図５および６で示すように、略容器形状をしており、内周面に螺子２１ｂ、２２ｂと螺合する螺合溝３１ｂが形成されている。キャップ部本体３１は、図１および６で示すように、左側と右側が区別できるように、異なる色が外周面に塗布されている。具体的にはキャップ部本体３１の左側は、例えば白色が塗布されており、キャップ部本体３１の右側は、例えば赤色が塗布されている。
【００２３】
キャップ部本体３１の上部は、左側収容部２１および右側収容部２２の開口端部２１ｃ、２２ｃに対応する位置に嵌合凹部３１ｃが形成されている。この嵌合凹部３１ｃには、左側収容部２１内へ貫通し、第１の調味料を吐出する左側吐出孔（吐出孔）３１ｄと、右側収容部２２内へ貫通し、第２の調味料を吐出する右側吐出孔（吐出孔）３１ｅとが形成されている。
【００２４】
蓋部３２は、図１および６で示すように、左側吐出孔３１ｄを開閉する左側蓋部３２ａと、右側吐出孔３１ｅを開閉する右側蓋部３２ｂとで形成されている。左側蓋部３２ａおよび右側蓋部３２ｂは、キャップ部本体３１の左側および右側に塗布された色と対応するように色分けされている。例えば、キャップ部本体３１の左側が白色で、キャップ部本体３１の右側が赤色でそれぞれ塗布されていた場合には、左側蓋部３２ａは白色に、右側蓋部３２ｂは赤色に塗布されている。
【００２５】
左側蓋部３２ａおよび右側蓋部３２ｂは、図１および６乃至８で示すように、基端側のヒンジ部３１ａにおいてキャップ部本体３１に一体的に形成されており、互いに離間可能に形成されている。具体的には、左側蓋部３２ａおよび右側蓋部３２ｂが分離可能に形成されており、図７のように左側蓋部３２ａのみが開き、左側吐出孔３１ｄを開口させることや、図８のように右側蓋部３２ｂのみが開き、右側吐出孔３１ｅを開口させることができるように形成されている。
【００２６】
また、左側蓋部３２ａおよび右側蓋部３２ｂの先端側には、図１および６乃至８で示すように、キャップ部本体３１よりも外側へ突出したつまみ部３２ｃ、ｄが形成されている。このつまみ部３２ｃ、ｄを持ち上げることで、左側蓋部３２ａおよび右側蓋部３２ｂがキャップ部本体３１から別々に開閉することができるように形成されている。
【００２７】
さらに、左側蓋部３２ａおよび右側蓋部３２ｂの底面には、嵌合凹部３１ｃに嵌合する左側嵌合凸部３２eおよび右側嵌合凸部３２ｆがそれぞれ形成されている。この左側嵌合凸部３２eおよび右側嵌合凸部３２ｆが嵌合凹部３１ｃに嵌合することで、左側吐出孔３１ｄおよび右側吐出孔３１ｅを封止できるように形成されている。
【００２８】
本実施例の調味料容器１は、左側蓋部３２ａおよび右側蓋部３２ｂの少なくともいずれかを選択的に開閉することで、左側吐出孔３１ｄおよび右側吐出孔３１ｅを開口させて、左側収容部２１および右側収容部２２内の第１の調味料および第２の調味料を吐出させることができる。
【００２９】
すなわち、本実施例の調味料容器１は、左側蓋部３２ａおよび右側蓋部３２ｂを選択的に開閉するだけで、任意の調味料を吐出することができるため、調味料容器１全体の構成を簡略化し、製造コストを低減化することができる。
【００３０】
また、本実施例の調味料容器１は、図６で示すように、左側蓋部３２ａおよび右側蓋部３２ｂの両方を同時に開くことで、第１の調味料および第２の調味料を同時に吐出することもでき、異なる種類の第１の調味料および第２の調味料を簡単に混ぜ合わせることもできる。
【００３１】
例えば、第１の調味料がマヨネーズで、第２の調味料がケチャップである場合には、左側蓋部３２ａおよび右側蓋部３２ｂの両方を開くことで、マヨネーズ（第１の調味料）とケチャップ（第２の調味料）を同時に左側吐出孔３１ｄおよび右側吐出孔３１ｅから吐出させて、オーラルソースを形成することができる。
【００３２】
次に、本実施例の調味料容器１における第１の調味料を左側収容部２１へ補充する補充方法について、図９を用いて説明する。初期条件として、左側収容部２１および右側収容部２２における合わせ面が嵌合され、上部がキャップ部３で結合されており、右側収容部２２内のみに第２の調味料が収容されているものとする。また、キャップ部３の左側および右側が、左側収容部２１および右側収容部２２と対応して位置するように、キャップ部３が収容部本体２の開口端部２０に螺合されているものとする。
【００３３】
図９は図１の調味料容器１における左側収容部２１へ第１の調味料を補充する作業手順を示すフローチャートである。
【００３４】
まず、使用者は、図９で示すように、収容部本体２の開口端部２０に螺合したキャップ部３を取り外す（ＳＴＥＰ１、２）。キャップ部３を開口端部２０から取り外した後、使用者は、左側収容部２１と右側収容部２２を互いに離間する方向へ引き離し、凹部２２ａに対する凸部２１ａの嵌合を解除し、左側収容部２１と右側収容部２２を分離させる（ＳＴＥＰ３）。
【００３５】
使用者は、左側収容部２１と右側収容部２２を分離させた後、左側収容部２１内へ第１の調味料を補充する（ＳＴＥＰ４）。この際、右側収容部２２が左側収容部２１から離れた位置にあるため、第１の調味料が右側収容部２２内に混入することを防ぐことができる。
【００３６】
左側収容部２１内に第１の調味料が補充されると、使用者は、左側収容部２１と右側収容部２２における合わせ面を合わせ、凹部２２ａと凸部２１ａを嵌合させて、左側収容部２１と右側収容部２２を嵌合させる（ＳＴＥＰ５）。
【００３７】
左側収容部２１を右側収容部２２に嵌合させた後、使用者は、左側収容部２１および右側収容部２２（収容部本体２）の上部にキャップ部３を螺合させる。この際、使用者は、キャップ部３の左側と右側が、左側収容部２１と右側収容部２２に対応する位置となるまで螺合し、左側収容部２１および右側収容部２２の上部にキャップ部３を結合させて、第１の調味料の補充作業を終了する（ＳＴＥＰ６、７）。
【００３８】
本実施例の調味料容器１は、左側収容部２１と右側収容部２２を、合わせ面における凹部２２ａと凸部２１ａの嵌合および上部におけるキャップ部３の螺合により行うことで、少なくとも上部および下部で結合し、左側収容部２１と右側収容部２２を一体的に形成することができる。
【００３９】
本実施例の調味料容器１は、キャップ部３を取り外し、左側収容部２１と右側収容部２２を引き離すだけで、左側収容部２１と右側収容部２２を分離させることができるため、調味料容器１全体の構成を簡略化することができ、製造コストを低減化することができる。
【００４０】
また、本実施例の調味料容器１は、左側収容部２１および右側収容部２２に形成された凹部２２ａおよび凸部２１ａが高さ方向（Ｚ軸方向）および幅方向（Ｘ軸方向）へ延びる十字形状に形成されているため、左側収容部２１と右側収容部２２の幅方向のずれや高さ方向のずれを防ぐこともできる。
【００４１】
さらに、本実施例の調味料容器１は、左側収容部２１の開口端部２１ｃを封止する左側蓋部３２ａと、右側収容部２２の開口端部２２ｃを封止する右側蓋部３２ｂとが色分けされているため、使用前における左側蓋部３２ａと右側蓋部３２ｂとが逆になることも防ぐことができる。
【００４２】
すなわち、本実施例の調味料容器１は、キャップ部３が左側収容部２１および右側収容部２２に対して逆に取付けられることで、キャップ部本体３１内に残った第１の調味料および第２の調味料が左側収容部２１および右側収容部２２内の第１の調味料および第２の調味料に混ざることを防ぐことができる。
【００４３】
（他の実施例）
上記実施例において、収容部本体２を左側収容部２１および右側収容部２２からなるものとして説明したが、３つ以上の収容部（不図示）からなるものとしても良い。この場合、収容部ごとの合わせ面にはそれぞれ凹部２２aと凸部２１aを形成し、嵌合凹部３１ｃにおける吐出孔（不図示）は、各収容部に対応して複数形成するものとする。また、複数の吐出孔を封止する蓋部（不図示）も各収容部に対応して複数分割されているものとする。
【００４４】
このように、収容部本体２を３つ以上の収容部で構成することで、第１の実施例の調味料容器１よりもさらに複数種類の調味料を収容することができる。また、この構成により、３つ以上の調味料を同時に吐出して、さらなる複雑な味の調味料を形成することができる。
【００４５】
上記実施例においてキャップ部本体３１の左側および右側と左側蓋部３２aおよび右側蓋部３２ｂとで区別できるように色分けされているものとして説明したが、特にこれに限られるものではなく、キャップ部本体３１の左側および右側、又は左側蓋部３２aおよび右側蓋部３２ｂのいずれかが色分けされていれば良い。
【００４６】
この構成により、キャップ部本体３１の左側および右側、又は左側蓋部３２aおよび右側蓋部３２ｂのいずれかのみを色分けすれば良いため、キャップ部３の構成を簡略化し、製造コストを低減化することができる。
【００４７】
上記実施例において、左側収容部２１と右側収容部２２とを嵌合する凹部２２aと凸部２１aを、高さ方向および幅方向へ延びる十字形状に形成するものとして説明したが、特にこれに限られるものではなく、凹部２２aと凸部２１aが嵌合できるように、互いに対応する形に形成されていれば良い。
【００４８】
上記実施例において、キャップ部３と左側収容部２１および右側収容部２２の上部は、左側収容部２１および右側収容部２２の上部に形成された螺子２１ｂ、２２ｂと、キャップ部本体３１の内周面に形成された螺合溝３１ｂとを螺合するものとして説明したが、キャップ部３が左側収容部２１および右側収容部２２の上部に結合できる態様であれば良い。例えば、キャップ部本体３１の内周面に突起部（不図示）を設け、左側収容部２１および右側収容部２２の上部に凹み部（不図示）を設け、突起部を凹み部へ嵌合して、キャップ部３と左側収容部２１および右側収容部２２の上部を結合するものとしても良い。
【００４９】
また、上記実施例において、キャップ部本体３１に対して左側蓋部３２aおよび右側蓋部３２ｂは、ヒンジ部３１aを介して一体的に形成されているものとして説明したが、特にこれに限られるものではなく、キャップ部本体３１に対して左側蓋部３２aと右側蓋部３２ｂとが分離できるように形成されていても良い。
【００５０】
さらに、上記実施例において、嵌合凹部３１ｃには、左側吐出孔３１ｄおよび右側吐出孔３１eとが、左側収容部２１および右側収容部２２に対応して１つずつ形成されているものとして説明したが、特にこれに限られるものではなく、左側収容部２１および右側収容部２２に対応して２つ以上形成されていても良い。この構成により、第１の調味料および第２の調味料を、左側吐出口３１ｄおよび右側吐出口３１eから効率良く吐出することができる。
【００５１】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００５２】
１…調味料容器
２…収容部本体
２０…開口端部    ２１…左側収容部（収容部）      ２１a…凸部      ２１ｂ…螺子      ２１ｃ…開口端部    ２２…右側収容部（収容部）      ２２a…凹部      ２２ｂ…螺子      ２２ｃ…開口端部
３…キャップ部
３１…キャップ部本体      ３１a…ヒンジ部      ３１ｂ…螺合溝      ３１ｃ…嵌合凹部      ３１ｄ…左側吐出孔（吐出孔）      ３１e…右側吐出孔（吐出孔）    ３２…蓋部      ３２a…左側蓋部      ３２ｂ…右側蓋部      ３２c、d…つまみ部      ３２e…左側嵌合凸部      ３２f…右側嵌合凸部
【図１】
0003215182.tif 000003
【図２】
0003215182.tif 000004
【図３】
0003215182.tif 000005
【図４】
0003215182.tif 000006
【図５】
0003215182.tif 000007
【図６】
0003215182.tif 000008
【図７】
0003215182.tif 000009
【図８】
0003215182.tif 000010
【図９】
0003215182.tif 000011
【図１０】
0003215182.tif 000012